(57)【特許請求の範囲】
【請求項１】
撮像素子を用いて撮像された画像を動画として記録し得る一方、動画記録中に静止画記録要求の指示が与えられることにより、該静止画記録要求に呼応して前記撮像素子で取得される画像を静止画として記録可能な電子カメラにおいて、
静止画の記録画素数が動画の記録画素数よりも多い画素数に設定され、
前記動画記録中は前記撮像素子の垂直同期信号の１周期内に、前記撮像素子から垂直方向の画素を間引く垂直間引きによる画像の読み出し処理と、該読み出した画像の記憶手段への記憶処理と、当該記憶手段から読み出したデータを圧縮して動画記録部に記録する書き込み処理とを行い、
前記動画記録中に静止画記録要求の指示が与えられた場合、該静止画記録要求に呼応して前記撮像素子で撮像された静止画撮影画像を前記撮像素子から垂直間引きせずに読み出しを行い前記記憶手段に記憶するとともに所定時間の間、前記記憶手段に前記撮像素子からの画像の取り込みを禁止し、この間に前記記憶手段から垂直同期信号の周期で前記静止画撮影画像のデータを垂直及び水平方向に間引き処理を行って繰り返し読み出すことにより、前記静止画撮影画像を動画として動画記録部に記録する一方、かかる垂直同期信号の１周期内で実施される前記静止画撮影画像の動画としての記録処理の合間の時間に、前記記憶手段から前記静止画撮影画像のデータを間引きせずに読み出して該静止画撮影画像を静止画として静止画記録部に記録する静止画処理を断続的に実行し、前記静止画撮影画像を静止画として前記静止画記録部に記録し終えた時又はその後に前記所定時間が満了することにより、前記禁止が解除されて前記撮像素子から得られる画像を動画として前記動画記録部に記録する記録動作を再開させるように構成されていることを特徴とする電子カメラ。
【請求項２】
撮像素子と、該撮像素子から読み出される信号を処理して被写体像を示す画像データを生成する信号処理部と、前記信号処理部で得られた画像データを記憶するフレームメモリと、前記フレームメモリから読み出した画像データが示す画像情報を記録媒体に記録する記録部と、を備え、前記撮像素子を用いて撮像された画像を動画として前記記録媒体に記録し得る一方、動画記録中に静止画記録要求の指示が与えられることにより、該静止画記録要求に呼応して前記撮像素子で取得される画像を静止画として前記記録媒体に記録し得る電子カメラにおいて、
静止画の記録画素数が動画の記録画素数よりも多い画素数に設定され、
前記動画記録中は前記撮像素子の垂直同期信号の１周期内に、前記撮像素子から垂直方向の画素を間引く垂直間引きによる画像の読み出し処理と、該読み出した画像のフレームメモリへの記憶処理と、当該フレームメモリから読み出したデータを圧縮して前記記録媒体に記録する書き込み処理とを行い、
前記動画記録中に静止画記録要求の指示が与えられた場合、該静止画記録要求に呼応して前記撮像素子で撮像された静止画撮影画像を前記撮像素子から垂直間引きせずに読み出しを行い前記フレームメモリに記憶するとともに所定時間の間、前記フレームメモリに前記撮像素子からの画像の取り込みを禁止し、この間に前記フレームメモリから垂直同期信号の周期で前記静止画撮影画像のデータを垂直及び水平方向に間引き処理を行って繰り返し読み出すことにより、前記静止画撮影画像を動画として前記記録媒体に記録する一方、かかる垂直同期信号の１周期内で実施される前記静止画撮影画像の動画としての記録処理の合間の時間に、前記フレームメモリから前記静止画撮影画像のデータを間引きせずに読み出して該静止画撮影画像を静止画として前記記録媒体に記録する静止画処理を断続的に実行し、前記静止画撮影画像を静止画として前記記録媒体に記録し終えた時又はその後に前記所定時間が満了することにより、前記禁止が解除されて前記撮像素子から得られる画像を動画として前記記録媒体に記録する記録動作を再開させるように、前記撮像素子、前記信号処理部、前記フレームメモリ、及び前記記録部を制御する制御手段を備えていることを特徴とする電子カメラ。
【請求項３】
静止画撮影に必要な準備動作は、前記動画記録中の前記垂直同期信号の１周期内における前記撮像素子からの信号読み出し期間以外の時間で行われることを特徴とする請求項１又は２に記載の電子カメラ。
【請求項４】
前記電子カメラは閃光装置を有し、該閃光装置の充電は前記動画記録中の前記垂直同期信号の１周期内における前記撮像素子からの信号の読み出し期間以外の時間を使って断続的に行われるように前記制御手段により制御されることを特徴とする請求項２記載の電子カメラ。
【請求項５】
前記電子カメラは、前記動画記録中に前記撮像素子を介して画像を取得する際に設定される動画記録用の撮像モードと、前記静止画記録要求に呼応して前記静止画撮影画像を取得する際に設定される静止画記録用の撮像モードとの２つの異なる撮像モードを有し、前記静止画記録要求の受入に応じて前記動画記録用の撮像モードから前記静止画記録用の撮像モードへ自動的に撮像モードが切り替えられ、前記静止画撮影画像の取得後に再び前記動画記録用の撮像モードへ自動的に切り替えられるように構成されていることを特徴とする請求項１又は２に記載の電子カメラ。
【請求項６】
撮像素子を用いて撮像された画像を動画として記録媒体に格納する一方、この動画記録中に静止画記録要求の指示が与えられることにより、該静止画記録要求に呼応して前記撮像素子で取得される画像を静止画として前記記録媒体に記録する画像記録方法において、
静止画の記録画素数が動画の記録画素数よりも多い画素数に設定され、
動画記録開始の指示が与えられることにより、動画記録用の第１の撮像モードにて前記撮像素子を用いて撮像を行い、前記撮像素子の垂直同期信号の１周期内に前記撮像素子から垂直方向の画素を間引く垂直間引きによる画像の読み出し処理と、該読み出した画像の記憶手段への記憶処理と、当該記憶手段から読み出したデータを圧縮して記録媒体に記録する書き込み処理とを行い、かかる第１の撮像モードの撮像によって得られる画像を順次前記記録媒体に格納することにより一連の画像を動画として記録し、
かかる動画記録中に静止画記録要求の指示が与えられることにより、撮像モードを前記第１の撮像モードと異なる静止画記録用の第２の撮像モードに切り替え、
第２の撮像モードにて前記撮像素子を用いて撮像を行い、この時の撮像によって得られる静止画撮影画像を前記撮像素子から垂直間引きせずに読み出しを行い前記フレームメモリに記憶するとともに、所定時間の間、前記フレームメモリに前記撮像素子からの画像の取り込みを禁止し、
この間に前記フレームメモリから垂直同期信号の周期で前記静止画撮影画像のデータを垂直及び水平方向に間引き処理を行って繰り返し読み出すことにより、前記静止画撮影画像を動画として前記記録媒体に記録し、
かかる垂直同期信号の１周期内で実施される前記静止画撮影画像の動画としての記録処理の合間の時間に、前記フレームメモリから前記静止画撮影画像のデータを間引きせずに読み出して該静止画撮影画像を静止画として前記記録媒体に記録する静止画処理を断続的に実行し、
前記静止画撮影画像を静止画として前記記録媒体に記録し終えた時又はその後に前記所定時間が満了して前記禁止を解除し、前記第１の撮像モードに戻された状態にて前記撮像素子から得られる画像を動画として前記記録媒体に記録する記録動作を再開させることにより、動画と静止画を記録することを特徴とする画像記録方法。
【発明の詳細な説明】
【０００１】
【発明の属する技術分野】
本発明は電子カメラ及び画像記録方法に係り、特に撮像素子を用いて動画及び静止画の撮影が可能な電子カメラとそれに適用される画像記録方法に関する。
【０００２】
【従来の技術】
従来から、動画と静止画を共通のリソース（撮像系、信号処理手段、ＣＰＵ等）によって撮影、記録するカメラが提案されている。例えば、特開平９−２３３４１０号公報や特開平１０−２００８５９号公報に示されたカメラは、動画撮影中に静止画の撮影要求があった場合に、静止画のデータをメモリに一旦記憶しておき、動画の撮影が終了した後にこれを読み出して記録媒体に書き込むようになっている。
【０００３】
この種のカメラに関連する技術として、特開平１０−１０８１２１号公報には、静止画の記録時には動画の記録時よりも高画素に設定して鮮明な静止画を取得する方法が開示されている。また、特開平９−８３９４５号公報には、動画撮影モードと静止画撮影モードとでシャッター速度などの撮像モードを各動作モードに応じて適切な値に変更する方法が開示されている。
【０００４】
【発明が解決しようとする課題】
しかしながら、上述した特開平９−２３３４１０号公報及び特開平１０−２００８５９号公報に示されたカメラは、動画撮影中に静止画を一時的に機器内部のメモリに保存するため、動画撮影中の静止画撮影可能枚数は内部メモリの容量上かなり制限されるという不具合がある。特に、このカメラに特開平１０−１０８１２１号公報に示されている技術を適用して静止画を高画素化した場合には、一時的に保存する静止画のデータサイズが大きいため、上記の欠点は更に顕著となる。
【０００５】
また、特開平９−８３９４５号公報のように、静止画撮影時には動画撮影時と異なる撮像モードに設定することにより良好な静止画の撮影が可能となるが、この方法を特開平９−２３３４１０号公報等のカメラに適用した場合、撮像デバイスは動画・静止画とも共通であるから、静止画を記録した瞬間には、シャッター速度等が変更され、記録されている動画が不連続となり、再生時の見栄えが悪くなるという欠点がある。特に、静止画の撮影において閃光装置を発光させる場合には、動画に撮影されているシーンの不連続性が大きくなるという不具合がある。更に、閃光装置を使用する場合には、充電電流によって撮影中の動画にノイズが混入する可能性もある。
【０００６】
本発明はこのような事情に鑑みてなされたもので、動画と静止画を共通のリソースで撮影するカメラにおいて次の事項を実現可能な電子カメラ及びこれに適用される画像記録方法を提供することを目的とする。
すなわち、（１）動画の撮影と記録メディアへの記録中に、これと並行して静止画の撮影の記録メディアへの記録（書き込み）を可能とし、静止画の撮影可能枚数に内部メモリによる制限が生じないようにする。（２）動画と静止画を異なる撮影モードで撮影して、その撮像された動画に不連続部分があっても、再生時にユーザに違和感を与えないような動画記録を実現する。（３）システムの制御を司る中央処理装置（ＣＰＵ）の処理負担を可能な限り少なくする。また、（４）静止画の撮影準備動作（例えば、閃光装置の充電）により、撮影中の動画にノイズが乗るなどの悪影響を防止する。
【０００７】
【課題を解決するための手段】
前記目的を達成するために、本願請求項１に係る発明は、撮像素子を用いて撮像された画像を動画として記録し得る一方、動画記録中に静止画記録要求の指示が与えられることにより、該静止画記録要求に呼応して前記撮像素子で取得される画像を静止画として記録可能な電子カメラにおいて、静止画の記録画素数が動画の記録画素数よりも多い画素数に設定され、前記動画記録中は前記撮像素子の垂直同期信号の１周期内に、前記撮像素子から垂直方向の画素を間引く垂直間引きによる画像の読み出し処理と、該読み出した画像の記憶手段への記憶処理と、当該記憶手段から読み出したデータを圧縮して動画記録部に記録する書き込み処理とを行い、前記動画記録中に静止画記録要求の指示が与えられた場合、該静止画記録要求に呼応して前記撮像素子で撮像された静止画撮影画像を前記撮像素子から垂直間引きせずに読み出しを行い前記記憶手段に記憶するとともに所定時間の間、前記記憶手段に前記撮像素子からの画像の取り込みを禁止し、この間に前記記憶手段から垂直同期信号の周期で前記静止画撮影画像のデータを垂直及び水平方向に間引き処理を行って繰り返し読み出すことにより、前記静止画撮影画像を動画として動画記録部に記録する一方、かかる垂直同期信号の１周期内で実施される前記静止画撮影画像の動画としての記録処理の合間の時間に、前記記憶手段から前記静止画撮影画像のデータを間引きせずに読み出して該静止画撮影画像を静止画として静止画記録部に記録する静止画処理を断続的に実行し、前記静止画撮影画像を静止画として前記静止画記録部に記録し終えた時又はその後に前記所定時間が満了することにより、前記禁止が解除されて前記撮像素子から得られる画像を動画として前記動画記録部に記録する記録動作を再開させるように構成されていることを特徴としている。
【０００８】
本発明によれば、静止画記録要求に呼応して静止画の記録を行う際に、動画の取り込みが中断されるが、この中断期間の間は、記憶手段に保存されている静止画撮影画像を動画として動画記録部に記録するようにしたので、撮像された動画に不連続があっても、動画の再生時にユーザにあまり違和感を与えることがない。また、フレームメモリなどの記憶手段（内部メモリ）は１画面分の画像データを蓄える容量があれば足り、静止画の撮影可能枚数に、内部メモリの容量による制限は生じない。なお、前記動画記録部と前記静止画記録部は共通の記録媒体であってもよいし、異なる媒体であってもよい。
【０００９】
本発明の他の態様に係る電子カメラは、請求項２に示すように、撮像素子と、該撮像素子から読み出される信号を処理して被写体像を示す画像データを生成する信号処理部と、前記信号処理部で得られた画像データを記憶するフレームメモリと、前記フレームメモリから読み出した画像データが示す画像情報を記録媒体に記録する記録部と、を備え、前記撮像素子を用いて撮像された画像を動画として前記記録媒体に記録し得る一方、動画記録中に静止画記録要求の指示が与えられることにより、該静止画記録要求に呼応して前記撮像素子で取得される画像を静止画として前記記録媒体に記録し得る電子カメラにおいて、静止画の記録画素数が動画の記録画素数よりも多い画素数に設定され、前記動画記録中は前記撮像素子の垂直同期信号の１周期内に、前記撮像素子から垂直方向の画素を間引く垂直間引きによる画像の読み出し処理と、該読み出した画像のフレームメモリへの記憶処理と、当該フレームメモリから読み出したデータを圧縮して前記記録媒体に記録する書き込み処理とを行い、前記動画記録中に静止画記録要求の指示が与えられた場合、該静止画記録要求に呼応して前記撮像素子で撮像された静止画撮影画像を前記撮像素子から垂直間引きせずに読み出しを行い前記フレームメモリに記憶するとともに所定時間の間、前記フレームメモリに前記撮像素子からの画像の取り込みを禁止し、この間に前記フレームメモリから垂直同期信号の周期で前記静止画撮影画像のデータを垂直及び水平方向に間引き処理を行って繰り返し読み出すことにより、前記静止画撮影画像を動画として前記記録媒体に記録する一方、かかる垂直同期信号の１周期内で実施される前記静止画撮影画像の動画としての記録処理の合間の時間に、前記フレームメモリから前記静止画撮影画像のデータを間引きせずに読み出して該静止画撮影画像を静止画として前記記録媒体に記録する静止画処理を断続的に実行し、前記静止画撮影画像を静止画として前記記録媒体に記録し終えた時又はその後に前記所定時間が満了することにより、前記禁止が解除されて前記撮像素子から得られる画像を動画として前記記録媒体に記録する記録動作を再開させるように、前記撮像素子、前記信号処理部、前記フレームメモリ、及び前記記録部を制御する制御手段を備えていることを特徴としている。
【００１０】
また、請求項３に示すように、静止画撮影に必要な準備動作は、前記動画記録中の前記垂直同期信号の１周期内における前記撮像素子からの信号読み出し期間以外の時間で行うことが好ましい。こうすることにより、撮影中の動画にノイズが混入する不具合を防止できる。例えば、請求項４に示すように、前記電子カメラに閃光装置が設けられている場合において、閃光装置の充電は前記動画記録中の前記垂直同期信号の１周期内における前記撮像素子からの信号の読み出し期間以外の時間を使って断続的に行われるように前記制御手段により制御される。かかる態様の如く、撮像素子からの読み出し期間を避けて、充電処理を分割して実行することにより、撮影中の動画にノイズが混入する不具合を防止できる。
【００１２】
また、本発明の更に他の態様に係る電子カメラは、請求項６に示すように、前記電子カメラは、前記動画記録中に前記撮像素子を介して画像を取得する際に設定される動画記録用の撮像モードと、前記静止画記録要求に呼応して前記静止画撮影画像を取得する際に設定される静止画記録用の撮像モードとの２つの異なる撮像モードを有し、前記静止画記録要求の受入に応じて前記動画記録用の撮像モードから前記静止画記録用の撮像モードへ自動的に撮像モードが切り替えられ、前記静止画撮影画像の取得後に再び前記動画記録用の撮像モードへ自動的に切り替えられるように構成されていることを特徴としている。
【００１３】
かかる態様のように、動画と静止画を異なる撮像モードで撮像する場合、撮像された動画に不連続な部分があったとしても、本発明によれば、再生時にユーザに違和感を与えない再生表示が可能である。本願請求項６に係る発明は、前記目的を達成する画像記録方法を提供すべく、撮像素子を用いて撮像された画像を動画として記録媒体に格納する一方、この動画記録中に静止画記録要求の指示が与えられることにより、該静止画記録要求に呼応して前記撮像素子で取得される画像を静止画として前記記録媒体に記録する画像記録方法において、静止画の記録画素数が動画の記録画素数よりも多い画素数に設定され、動画記録開始の指示が与えられることにより、動画記録用の第１の撮像モードにて前記撮像素子を用いて撮像を行い、前記撮像素子の垂直同期信号の１周期内に前記撮像素子から垂直方向の画素を間引く垂直間引きによる画像の読み出し処理と、該読み出した画像の記憶手段への記憶処理と、当該記憶手段から読み出したデータを圧縮して記録媒体に記録する書き込み処理とを行い、かかる第１の撮像モードの撮像によって得られる画像を順次前記記録媒体に格納することにより一連の画像を動画として記録し、かかる動画記録中に静止画記録要求の指示が与えられることにより、撮像モードを前記第１の撮像モードと異なる静止画記録用の第２の撮像モードに切り替え、第２の撮像モードにて前記撮像素子を用いて撮像を行い、この時の撮像によって得られる静止画撮影画像を前記撮像素子から垂直間引きせずに読み出しを行い前記フレームメモリに記憶するとともに、所定時間の間、前記フレームメモリに前記撮像素子からの画像の取り込みを禁止し、この間に前記フレームメモリから垂直同期信号の周期で前記静止画撮影画像のデータを垂直及び水平方向に間引き処理を行って繰り返し読み出すことにより、前記静止画撮影画像を動画として前記記録媒体に記録し、かかる垂直同期信号の１周期内で実施される前記静止画撮影画像の動画としての記録処理の合間の時間に、前記フレームメモリから前記静止画撮影画像のデータを間引きせずに読み出して該静止画撮影画像を静止画として前記記録媒体に記録する静止画処理を断続的に実行し、前記静止画撮影画像を静止画として前記記録媒体に記録し終えた時又はその後に前記所定時間が満了して前記禁止を解除し、前記第１の撮像モードに戻された状態にて前記撮像素子から得られる画像を動画として前記記録媒体に記録する記録動作を再開させることにより、動画と静止画を記録することを特徴としている。
【００１４】
【発明の実施の形態】
以下添付図面に従って本発明に係る電子カメラ及び画像記録方法の好ましい実施の形態について詳説する。
図１は本発明の実施の形態を示すデジタルカメラの構成を示すブロック図である。デジタルカメラ１０は、撮影レンズ１２、絞り兼用メカシャッタ１４、ＣＣＤ固体撮像素子（以下、ＣＣＤという。）１６、アナログ信号処理部１８、Ａ／Ｄ変換器２０、フレームメモリコントローラ２２、フレームメモリ２４、デジタル信号処理部２６、ＪＰＥＧ（Joint Photographic Experts Group）圧縮伸張回路２８、カードインターフェース３０、メモリカード３２、画像データバス３４、ホストバス３６、中央演算処理装置（ＣＰＵ）３８、ＣＰＵ周辺回路４０、タイミングジェネレータ４２、ＶＲＡＭ（Video RAM ）４４、エンコーダ４６、Ｄ／Ａ変換器４８等から構成される。
【００１５】
ＣＣＤ１６は受光部に平面的に配列されている感光画素から信号電荷を読み出す際に、垂直方向に間引きして読み出す機能を有している。そして、動画撮影時は垂直方向に間引いて読み出し、静止画撮影時は間引かずに全画素のデータを読み出す。ＣＣＤ１６から読み出された信号は、アナログ信号処理部１８においてゲイン調整その他の所定のアナログ信号処理が施された後、Ａ／Ｄ変換器２０によりデジタル信号に変換される。デジタル信号化された画像データは、デジタル信号処理部２６において輝度信号（Ｙ信号）及び色差信号（Ｃr,Ｃb ）に変換され、一旦フレームメモリ２４に格納される。
【００１６】
フレームメモリ２４に格納された画像データは動画記録／静止画記録の両方で共通に使用されるＪＰＥＧ圧縮伸張処理回路２８で圧縮され、カードインターフェース３０を介してメモリカード３２に圧縮データとして記録される。なお、圧縮処理とメモリカード３２への書き込み（記録）処理は同時に並行して行われる。
【００１７】
動画を記録する時は、フレームメモリコントローラ２２より、フレームメモリ２４の画像を水平方向に（或いは水平及び垂直方向に）間引きしながら画像を読み出して前記ＪＰＥＧ圧縮伸張処理回路２８に渡すことになる。
前記デジタル信号処理部２６で得られた輝度・色差信号（ＹＣ信号）はＶＲＡＭ４４に供給され、このＶＲＡＭ４４に格納されたデータはエンコーダ４６及びＤ／Ａ変換器４８を介してビデオ出力端子より外部出力され、テレビモニタ等の表示装置５０に供給される。これにより、ＣＣＤ１６で撮像された画像が表示装置５０に表示される。なお、表示装置５０として液晶ディスプレイ等を用い、これをデジタルカメラ１０本体に内蔵することも可能である。
【００１８】
再生モード時にはメモリカード３２に記録されている画像が読み出されて前記ＪＰＥＧ圧縮伸張回路２８によって伸張処理された後、ＶＲＡＭ４４に供給される。そして、ＶＲＡＭ４４に格納されたデータはエンコーダ４６及びＤ／Ａ変換器４８を介してビデオ出力端子より外部出力され、前記表示装置５０等に供給される。これにより、メモリカード３２に格納されている画像の内容を表示装置５０の画面上で確認することができる。
【００１９】
ＣＰＵ３８は本システムの制御を司る制御装置に相当し、ＣＰＵ周辺回路４０を介して受入する各種操作スイッチからの信号入力に基づいて各回路を統括制御するとともに、所定の制御プログラムに従ってカメラを動作させる。操作スイッチには、例えば、静止画記録指示スイッチ（レリーズスイッチという。）５２や動画記録指示スイッチ（録画スイッチという。）５４が含まれる。また、ＣＰＵ３８はタイミングジェネレータ４２を制御しており、該タイミングジェネレータ４２から各ブロックに供給される同期信号によって各回路の同期が取られている。ＣＰＵ周辺回路４０には、タイマ、ダイレクトメモリアクセス（ＤＭＡ）回路、割り込み制御回路、パラレル入／出力ポートなどが含まれる。
【００２０】
図２には本例のデジタルカメラ１０において動画を撮影・記録するシーケンスが示されている。同図において、上から（ａ）は垂直同期信号を示し、（ｂ）はＣＣＤ１６の露光時間（すなわち、電荷蓄積時間）を示す。（ｃ）は垂直間引きによるＣＣＤ１６からの読み出し処理とＡ／Ｄ変換処理、及びフレームメモリ２４への書き込み処理を含む一連の動作の処理時間を示す。（ｄ）は動画のデータ処理及び書き込み処理を示し、具体的には、フレームメモリ２４からの水平間引きによる読み出し処理、画像データの圧縮、記録メディア（メモリカード３２）への書き込み処理などが含まれる。
【００２１】
録画スイッチ５４が操作されることにより動画の記録処理が開始される。ＣＣＤ１６の露光時間はいわゆる電子シャッタにより制御される。なお、電子シャッタのシャッタパルスはタイミングジェネレータ４２によって制御される。（ｂ）の白抜き矢印２００に示すように、電子シャッタ機能による不要電荷の排出後、垂直同期信号が入力されるまでの期間（白抜き矢印２００が示す期間）中の露光によってＣＣＤ１６の各感光画素で電荷が蓄積される。この間に蓄積された信号電荷は（ｃ）に示すように前記垂直同期信号によって転送路に転送され、垂直間引きモードによってＣＣＤ１６から読み出される。そして、読み出された信号は図１で説明したＡ／Ｄ変換器２０でＡ／Ｄ変換され、所定の信号処理が施された後にフレームメモリ２４に格納される。
【００２２】
（ｃ）の白抜き矢印２０２の期間内にＣＣＤ１６からの信号電荷の読み出しと、Ａ／Ｄ変換処理、及びフレームメモリ２４への書き込みが行われる。フレームメモリ２４への書き込みが完了すると、次いで、（ｄ）の矢印２０４に示すように、フレームメモリ２４に格納された画像はフレームメモリコントローラ２２により水平方向に間引きされながら読み出されてＪＰＥＧ圧縮され、メモリカード３２に記録される。
【００２３】
なお、ＣＣＤ１６の垂直間引きモードの間引設定は、上記１サイクルが１垂直期間（１Ｖ期間）以内で終了するように間引き数を選択してある。ＣＣＤ１６から読み出すライン数及び画素数が多いほど読み出しに時間がかかることになるため、ＣＣＤ１６の画素数を考慮して適切な間引き数に定める。
図３には本例のデジタルカメラ１０において動画撮影中に静止画撮影を行うシーケンスが示されている。同図中（ａ）は垂直同期信号を示し、（ｂ）はＣＣＤ１６の露光時間を示す。（ｃ）はＣＣＤ１６からの読み出し処理とＡ／Ｄ変換、及びフレームメモリへの書き込み処理の一連の動作の処理時間を示す。（ｄ）は動画のデータ処理及び書き込み処理を示し、（ｅ）は静止画のデータ処理及び書き込み処理を示す。
【００２４】
動画撮影中にレリーズスイッチ５２が押されることにより、または、図示せぬリモコン装置のレリーズボタンが押されることにより、垂直同期信号に同期して静止画記録要求の信号がＣＰＵ３８に入力される。この静止画記録要求の指示を受けて、撮像系が静止画撮像モードに移行する。
すなわち、（ｂ）の符号３００で示すように、静止画撮影時は、ブレ防止のためにＣＣＤ１６の露光時間が、動画撮影時の露光時間（符号３０２）よりも短く設定される。また、この露光時間の間に必要に応じて閃光装置（フラッシュ）の発光が行われる。符号３００の白抜き矢印が示す期間中の露光によってＣＣＤ１６の各感光画素で電荷が蓄積され、この蓄積された信号電荷は（ｃ）の符号３０４に示したように、前記垂直同期信号によって転送路に転送され、間引き無しのモードによってＣＣＤ１６から読み出される。そして、読み出された信号はＡ／Ｄ変換され、所定の信号処理が施された後にフレームメモリ２４に格納される。この時、画素の間引きをせずに読み出しを行うために、図２で説明した読み出しよりも処理に時間を要する。
【００２５】
また、この間、図３（ｄ）の点線矢印（符号３０６）の示すように、動画処理が中断され、ＣＣＤ１６からの信号読み出し中には動画のコマは記録できない。しかし、後述のように、静止画記録時間Ｔの間は、フレームメモリ２４の画像が繰り返して読み出され、これが動画の画面として記録されるため（符号３０８参照）、ユーザの目には符号３０６の記録中断は認識できない。
【００２６】
図３（ｃ）符号３０４で示した白抜き矢印の期間内に全画素範囲の読み出しと、Ａ／Ｄ変換処理、及びフレームメモリ２４への書き込みが完了すると、その後は（ｄ）に示したように、フレームメモリ２４の画像はフレームメモリコントローラ２２により垂直方向及び水平方向に間引きされながら読み出されてＪＰＥＧ圧縮され、メモリカード３２に記録される。
【００２７】
静止画記録時間Ｔの最中は、フレームメモリ２４の内容がそのまま保持され、動画の記録はフレームメモリ２４に保持されている画像データが反復して書き込まれる。そして、（ｅ）の符号３１０に示すように、かかる動画の圧縮・記録の合間に静止画の圧縮・記録が行われる。静止画は画素を間引かずに圧縮記録するので、動画の１コマ圧縮記録時間よりも長くなっている。例えば、静止画記録時に画素数は１２８０×９６０画素であるのに対し、動画記録の時は、垂直及び水平方向を１／４に間引き、３２０×２８０画素とする。
【００２８】
静止画記録時間Ｔが終了すると、再び通常の動画記録が再開される。なお、図３（ｂ）の符号３１２で示すように、静止画記録時間Ｔの最中にもＣＣＤ１６の露光は行われているが、この間のＣＣＤデータは読み出されることなくドレインに捨てられる。
図４は本例のデジタルカメラ１０において動画撮影中の閃光装置の充電タイミングを示す。図４中（ａ）〜（ｄ）は図２で説明した（ａ）〜（ｄ）と同様であるのでその説明は省略する。（ｆ）は閃光装置の充電期間を表す。閃光装置のチャージはノイズを多く発生するので、ＣＣＤ１６からの画像の読み出し期間を避けて、（ｃ）に示したフレームメモリ２４への書き込み処理が完了した後、次の垂直同期信号が与えられるまでの期間に閃光装置の充電が実行される。
【００２９】
このように、閃光装置の充電など、静止画撮影に必要な準備動作は、ＣＣＤ１６からの信号電荷の読み出し以外のタイミングで行うことにより、撮影中の動画にノイズが乗るなどの悪影響を防止することができる。
本実施の形態にかかるデジタルカメラによれば、動画と静止画を共通のリソース（撮像系、圧縮回路、ＣＰＵ等）で撮影・記録するカメラにおいて、静止画記録要求に呼応して、フレームメモリへの動画の取り込みを中止し、この間、静止画撮影画像と同じ画像を動画として記録するようにしたので、撮像された動画に不連続があっても、動画の再生時にユーザにあまり違和感を与えることがない。また、フレームメモリに相当する内部メモリは１画面分の画像データを蓄える容量があれば足り、静止画の撮影可能枚数に、内部メモリの容量による制限は生じない。
【００３０】
上記実施の形態では、動画の記録形式として、各画面の画像を独立したＪＰＥＧ画像として羅列するモーションＪＰＥＧを例に説明したが、動画記録形式はこれに限定するものではなく、ＭＰＥＧ（Moving Pictures Experts Group ）その他のフォーマット形式でもよい。
【００３１】
【発明の効果】
以上説明したように本発明によれば、動画記録中に静止画記録要求を受けた場合、撮像素子からの動画の取り込みを禁止し、この間、静止画撮影画像と同じ画像を動画として記録するようにしたので、撮像された動画に不連続があっても、動画の再生時にユーザにあまり違和感を与えることがない。また、本発明によれば、フレームメモリに相当する記憶手段（内部メモリ）の容量によって静止画の撮影可能枚数が制限を受けることもない。
【００３２】
さらに、本発明では、撮像素子からの画像読み出し期間を避けて、閃光装置の充電など、静止画の撮影準備を行うようにしたので、撮影中の動画にノイズが混入する不具合を防止できる。
【図面の簡単な説明】
【図１】本発明の実施の形態を示すデジタルカメラの構成を示すブロック図
【図２】本例のデジタルカメラにおいて動画を撮影・記録する場合のシーケンスを示すタイミングチャート
【図３】本例のデジタルカメラにおいて動画撮影中に静止画撮影を行う場合のシーケンスを示すタイミングチャート
【図４】本例のデジタルカメラにおいて動画撮影中の閃光装置の充電タイミングを示すタイミングチャート
【符号の説明】
１０…デジタルカメラ（電子カメラ）、１６…ＣＣＤ（撮像素子）、２４…フレームメモリ（記憶手段）、３２…メモリカード（動画記録部、静止画記録部、記録媒体）、３８…ＣＰＵ（制御手段）、４０…ＣＰＵ周辺回路、４２…タイミングジェネレータ、５２…静止画記録指示スイッチ
【図１】
0004026104.tif 000002
【図２】
0004026104.tif 000003
【図３】
0004026104.tif 000004
【図４】
0004026104.tif 000005